(57)【要約】【課題】企業の業務遂行に伴う資源の消費量分析を行う際に、分析担当者の知識や経験に頼ることなく、その企業の業種や業態を考慮して高い精度で行うことを可能にする。【解決手段】分析対象の企業を示すとともにその業種を示す企業情報と分析対象の期間における時刻毎および設備毎の資源消費量を示す資源消費量情報とを取得する一方、資源消費量の多寡を時刻毎に判別するための各基準値を表す基準値情報を企業の業種毎および設備毎に記憶した基準値データベースから分析対象の企業の業種に対応する基準値情報を読み出し、その基準値情報の表す各時刻の基準値と資源消費量情報の示す各時刻における資源消費量とを時刻毎および設備毎に比較し、後者が前者を上回っている時刻および設備を特定してその特定結果を示す情報を出力装置に出力させる分析装置を提供する。【選択図】図３
2015075823.tif 000002
【特許請求の範囲】
【請求項１】
分析対象の企業を示すとともに当該企業の業種または業態を示す企業情報と当該企業の分析対象の期間における時刻毎および設備毎の資源消費量を示す資源消費量情報とを取得する取得手段と、
資源消費量の多寡を時刻毎に判別するための各基準値を表す基準値情報を企業の業種または業態毎および設備毎に記憶した基準値データベースから、前記取得手段により取得した企業情報の示す業種または業態に対応する基準値情報を読み出す基準値情報取得手段と、
前記基準値情報取得手段により取得された基準値情報の表す各時刻の基準値と前記取得手段により取得された資源消費量情報の示す各時刻における資源消費量とを時刻毎および設備毎に比較し、後者が前者を上回っている時刻および設備を特定し、当該時刻および設備を示す情報を出力装置に出力させる特定手段と、
を有することを特徴とする分析装置。
【請求項２】
分析対象の設備を示す設備情報を前記取得手段により取得し、
前記基準値情報取得手段は、前記取得手段により取得された設備情報の示す設備に対応する基準値情報を取得するとともに、前記特定手段は、前記取得手段により取得された設備情報の示す設備について、前記取得手段により取得された資源消費量情報の示す資源消費量が前記基準値情報取得手段により取得された基準値情報の示す基準値を上回る時刻を特定する
ことを特徴とする請求項１に記載の分析装置。
【請求項３】
前記基準値データベースには、季節毎に前記基準値情報が格納されており、
前記基準値情報取得手段は、分析対象の期間の属する季節に対応する基準値情報を前記基準値データベースから読み出す
ことを特徴とする請求項１または２に記載の分析装置。
【請求項４】
前記基準値データベースには、外気温についての特定の条件を示す条件データに対応付けて、当該条件下での資源消費量が全資源消費量に対して占める割合の上限を定める外気温条件閾値が企業の業種または業態毎および設備毎に格納されており、
前記特定手段は、前記条件データの示す条件下での資源消費量、全資源消費量および前者の後者に対する割合を前記資源消費量情報に基づいて算出し、当該割合が前記外気温条件閾値を上回っている場合には、資源の無駄使いを警告するメッセージを前記出力装置に出力させる
ことを特徴とする請求項１〜３の何れか１項に記載の分析装置。
【請求項５】
前記基準値データベースには、企業の営業時間外における資源消費量が全資源消費量に対して占める割合の上限を定める営業時間外閾値が企業の業種または業態毎および設備毎に格納されており、
前記特定手段は、分析対象の企業の営業時間外の資源消費量、全資源消費量および前者の後者に対する割合を前記資源消費量情報に基づいて算出し、当該割合が前記営業時間外閾値を上回っている場合には、資源の無駄使いを警告するメッセージを前記出力装置に出力させる
ことを特徴とする請求項１〜４の何れか１項に記載の分析装置
【請求項６】
前記基準値データベースに格納されている基準値情報にしたがって各時刻の基準値を表すグラフを表示装置に表示させ、当該グラフを変形させるユーザの操作に応じて当該グラフに対応する基準値情報を更新する更新手段をさらに有することを特徴とする請求項１〜５の何れか１項に記載の分析装置。
【請求項７】
コンピュータを、
資源消費量の多寡を時刻毎に判別するための各基準値を表す基準値情報を企業の業種または業態毎および設備毎に記憶した基準値データベースから、分析対象として指定された企業の業種または業態に対応する基準値情報を読み出す基準値情報取得手段と、
分析対象として指定された企業における分析対象として指定された期間における各時刻の設備毎の資源消費量を示す資源消費量情報を取得し、前記基準値情報取得手段により取得された基準値情報の示す各時刻の基準値と当該資源消費量情報の示す各時刻における資源消費量とを時刻毎および設備毎に比較し、後者が前者を上回っている時刻および設備を特定し、当該時刻および設備を示す情報を出力装置に出力させる特定手段と
して機能させることを特徴とするプログラム。
【発明の詳細な説明】
【技術分野】
【０００１】
本発明は、企業の業務遂行に伴って消費される電力などの資源の消費量を分析する技術に関する。
【背景技術】
【０００２】
企業におけるコスト削減策の一例として、業務遂行に伴う電力の消費量を分析し、無駄な電力消費を洗い出して改善することが挙げられる。例えば、分析対象として指定された期間内に計測された電力消費量と判定基準となる基準値とを比較して無駄な電力消費の有無を洗い出すといった具合である。ここで問題となるのは、上記基準値をどのように定めるのかという点である。基準値が適切に定められていないと、消費量分析を的確に行うことはできないからである。特許文献１には、診断基準となる単位面積あたりの基準エネルギー消費量（原単位）に関する情報を施設の属性毎に格納した情報データベースを設け、分析対象施設において消費された電力を原単位と比較することが記載されている。
【先行技術文献】
【特許文献】
【０００３】
【特許文献１】特開２００２−１５６３９５号公報
【発明の概要】
【発明が解決しようとする課題】
【０００４】
近年では、原子力発電所の運転見合わせや再稼働の延期により真夏や真冬などの電力需要が高まる季節において電力需給がひっ迫しがちである。その結果、企業などの大口需要者に対して節電への協力が強く要請或いは強制されるといった事態が発生している。このため、電力の大口需要者の間では、精度の高い電力消費量分析を行い、無駄な電力消費を徹底的に洗い出したいといったニーズが高まっている。
【０００５】
ここで、無駄な電力消費であるか否かの判断基準は、空調や照明などの設備毎、或いは時刻毎に異なることは勿論、分析対象の企業の業種や業態に応じて異なることが一般的である。例えば２４時間営業のコンビニエンスストアと２４時間営業ではないスーパーマーケットとでは、空調や照明について無駄な電力消費であるか否かの判断基準は異なるはずである。しかし、特許文献１に開示の技術に代表される従来の電力消費量分析技術では、分析対象の企業の業種や業態は考慮されておらず、上記判断基準の設定は分析担当者の知識やカン、経験などに依存していた。つまり、従来の電力消費量分析技術では、豊富な知識や経験を有する分析担当者でなければ精度の高い分析を行うことができないという問題があった。
【０００６】
また、電力消費量分析に限らず、ガスや石油などの電力以外のエネルギーや工業用水についても業務遂行に伴う消費量分析を高い精度で行い、無駄な資源消費を洗い出せることが好ましいことは言うまでもない。しかし、これらについての消費量分析を高い精度で行うことを可能にする技術は従来提案されていなかった。本願明細書では、エネルギーや工業用水などのように、企業の業務遂行に必要となる業務遂行要素のうち、資産（設備などの固定資産や備品、および現預金や売掛金などの流動性資産）ではなく、かつ人的労働力でもない業務遂行要素のことを「資源」と呼ぶ。
【０００７】
本発明は上記課題に鑑みて為されたものであり、企業の業務遂行に伴う資源の消費量分析を行う際に、分析担当者の知識や経験に頼ることなく、精度の高い消費量分析を行うことを可能にする技術を提供することを目的とする。
【課題を解決するための手段】
【０００８】
上記課題を解決するために本発明は、分析対象の企業を示すとともに当該企業の業種または業態を示す企業情報と当該企業の分析対象の期間における時刻毎および設備毎の資源消費量を示す資源消費量情報とを取得する取得手段と、資源消費量の多寡を時刻毎に判別するための各基準値を表す基準値情報を企業の業種または業態毎および設備毎に記憶した基準値データベースから、前記取得手段により取得した企業情報の示す業種または業態に対応する基準値情報を読み出す基準値取得手段と、前記基準値取得手段により取得された基準値情報の表す各時刻の基準値と前記取得手段により取得された資源消費量情報の示す各時刻における資源消費量とを時刻毎および設備毎に比較し、後者が前者を上回っている時刻および設備を特定し、当該時刻および設備を示す情報を出力装置に出力させる特定手段とを有することを特徴とする分析装置、を提供する。
【０００９】
本発明によれば、分析対象の企業およびその業種または業態を示す企業情報を分析装置に与えるだけで、当該企業の業種または業態に応じた基準値情報が基準値データベースから読み出され、当該基準値情報の表す各時刻の基準値を用いて各時刻における資源消費量の多寡が設備毎に判別され、その判別結果が出力装置に出力される。このため、分析担当者の知識や経験に頼ることなく、分析対象の企業の業種や業態を考慮した精度の高い資源消費量分析を行うことが可能になる。例えば、本発明の分析装置を電力消費量分析に適用する場合には、分析対象の企業における時刻毎および設備毎の電力消費量を表す電力消費量情報を上記資源消費量情報として用いるようにすれば良い。なお、基準値データベースについては、分析装置に記憶装置を内蔵させておき、この記憶装置に格納しておいても良いし、通信網を介して分析装置からアクセス可能な他の記憶装置（例えば、ネットワーク対応のハードディスクドライブなど）に記憶させておいても良い。
【００１０】
また、本発明の別の態様としては、ＣＰＵ（Central Processong Unit）などの一般的なコンピュータを、資源消費量の多寡を時刻毎に判別するための各基準値を表す基準値情報を企業の業種または業態毎および設備毎に記憶した基準値データベースから分析対象として指定された企業の業種または業態に対応する基準値情報を読み出す基準値取得手段と、分析対象として指定された企業の分析対象として指定された期間の各時刻における設備毎の資源消費量を示す資源消費量情報を取得し、前記基準値取得手段により取得された基準値情報の示す各時刻の基準値と当該資源消費量情報の示す各時刻の資源消費量とを時刻毎および設備毎に比較し、後者が前者を上回っている時刻および設備を特定し、当該時刻および設備を示す情報を出力装置に出力させる特定手段として機能させるプログラムを提供する態様も考えられる。このようなプログラムの提供態様としては、ＣＤ−ＲＯＭ（Compact Disk-Read Only Memory）などのコンピュータ読み取り可能な記録媒体に上記プログラムを書き込んで配布する態様やインターネットなどの電気通信回線経由のダウンロードにより配布する態様が考えられる。
【００１１】
より好ましい態様においては、分析対象の設備を示す設備情報を前記取得手段により取得し、前記基準値取得手段は、前記取得手段により取得された設備情報の示す設備に対応する基準値情報を取得するとともに、前記特定手段は、前記取得手段により取得された設備情報の示す設備について、前記取得手段により取得された資源消費量情報の示す資源消費量が前記基準値取得手段により取得された基準値情報の示す基準値を上回る時刻を特定することを特徴とする。このような態様によれば、特定の設備に着目して資源消費量分析を行うことが可能になる。例えば、電力の消費量分析に本発明を適用する場合には、空調設備や冷蔵設備などの特定の設備に着目して電力消費量分析を行うといった具合である。
【００１２】
より好ましい態様においては、前記基準値データベースには、季節毎に前記基準値情報が格納されており、前記基準値取得手段は、分析対象の期間の属する季節に対応する基準値情報を前記基準値データベースから読み出すことを特徴とする。企業の業務遂行に伴って消費される資源のなかには、例えば電力のようにその消費態様が季節に応じて大きく変化するものと、例えば工業用水のように消費態様がほとんど変化しないものとがある。本態様によれば、季節に応じて消費態様が大きく変動する資源の消費量分析を分析対象の期間の属する季節を加味して行うことが可能になり、より精度の高い消費量分析を行うことが可能になる。
【００１３】
また、別の好ましい態様においては、前記基準値データベースには、外気温（すなわち、戸外の気温）についての特定の条件を示す条件データに対応付けて、当該条件下での資源消費量が全資源消費量に対して占める割合の上限を定める外気温条件閾値が企業の業種または業態毎および設備毎に格納されており、前記特定手段は、前記条件データの示す条件下での資源消費量、全資源消費量および前者の後者に対する割合を前記資源消費量情報に基づいて算出し、当該割合が前記外気温条件閾値を上回っている場合には、資源の無駄使いを警告するメッセージを前記出力装置に出力させることを特徴とする。外気温についての特定の条件の一例としては、一般に空調を用いる必要がないとされる温度範囲（例えば１５℃〜２５℃の範囲）が挙げられる。本発明の分析装置を電力の消費量分析に適用し、外気温についての特定条件として空調を用いる必要がないとされる温度範囲を採用すれば、空調設備についての全消費電力に占める当該条件下での消費電力（すなわち、無駄な消費電力）が上記外気温条件閾値を上回っていることを即座に分析担当者に把握させることができる。
【００１４】
また、別の好ましい態様においては、前記基準値データベースには、企業の営業時間（例えば、８：００〜１８：００）外における資源消費量が全資源消費量に対して占める割合の上限を定める営業時間外閾値が企業の業種または業態毎および設備毎に格納されており、前記特定手段は、分析対象の企業の営業時間外の資源消費量、全資源消費量および前者の後者に対する割合を前記資源消費量情報に基づいて算出し、当該割合が前記営業時間外閾値を上回っている場合には、資源の無駄使いを警告するメッセージを前記出力装置に出力させることを特徴とする。本発明の分析装置を電力の消費量分析に適用すれば、全消費電力に占める営業時間外の消費電力が上記営業時間外閾値を上回っていることを即座に分析担当者に把握させることができる。
【００１５】
また、別の好ましい態様においては、前記基準値情報は、当該基準値情報の示す基準値を適用可能な外気温を示す基準外気温情報と対応付けて前記基準値データベースに格納されており、前記取得手段は、前記分析対象の企業の立地における外気温を示す外気温情報を取得し、前記特定手段は、前記基準値取得手段により取得された基準値情報に対応付けられている基準外気温情報の示す外気温と前記外気温情報の示す外気温との差に応じて当該基準値情報の示す基準値を補正した後に前記取得手段により取得された電力消費量情報の示す電力消費量との比較を行うことを特徴とする。例えば、空調についての夏（冬）の基準値情報であれば、基準外気温情報の示す外気温よりも外気温情報の示す外気温のほうが高ければ当該基準値情報の示す基準値をより大きな値（より小さな値）に補正し、逆に後者のほうが低ければより小さな値（より大きな値）に補正するといった具合である。このような態様によれば、分析対象の企業の業種または業態の他に、さらに基準値情報の作成の際に想定されていた外気温と実際の外気温との差を考慮した精度の高い資源消費量分析を行うことが可能になる。なお、外気温情報については分析対象の企業の立地を管轄する気象台のデータベースから取得すれば良い。
【００１６】
さらに好ましい態様においては、前記基準値データベースに格納されている基準値情報をユーザの指示に応じて更新する更新手段をさらに有することを特徴とする。ここで、更新手段の具体例としては、基準値情報の表す各基準値を一方の座標軸を時間軸とする二次元座標にプロットして得られるグラフ（例えば、折れ線グラフ）を表示装置に表示させるとともに、マウス等のドラッグアンドドロップにより当該グラフを変形させ、変形後のグラフの示す各時刻の基準値を新たな基準値として基準値データベースに格納するＧＵＩベースの更新手段が考えられる。
【発明の効果】
【００１７】
以上説明したように、本発明によれば、分析担当者の知識や経験に頼ることなく、企業の業種や業態を考慮した精度の高い資源消費量分析を行うことが可能になる。
【図面の簡単な説明】
【００１８】
【図１】本発明の実施形態の分析装置１０を含む電力消費量分析システム１の構成例を示す図である。
【図２】同分析装置１０の構成例を示す図である。
【図３】同分析装置１０の基準値データベース１４４ａに格納されている基準値情報の一例を示す図である。
【図４】同分析装置１０の制御部１１０が分析プログラム１４４ｂにしたがって実行する処理の流れを示すフローチャートである。
【図５】同分析装置１０の動作を説明するための図である。
【図６】変形例（２）の基準値データベースの格納内容の一例を示す図である。
【図７】同変形例（２）の分析装置の動作を説明するための図である。
【発明を実施するための形態】
【００１９】
以下、図面を参照しつつ本発明の実施形態について説明する。
図１は、本発明の一実施形態の分析装置１０を含む電力消費量分析システム１の構成例を示す図である。この電力消費量分析システム１は、分析対象の企業について分析対象の期間における業務遂行に伴う電力消費量を空調や冷蔵、照明等の設備毎に分析するためのものである。図１に示すように電力消費量分析システム１は、例えばインターネットなどの電気通信回線である通信網２０に接続された分析装置１０を含んでいる。
【００２０】
分析装置１０には、電力消費量分析を行う分析担当者によって、分析対象の企業を示すとともにその業態または業種を示す企業情報Ｄ１、分析対象の設備を指定する設備情報Ｄ２、および分析対象の期間（例えば、２０１２年７月１日〜２０１２年９月３０日など）を指定する期間情報Ｄ３が入力される。分析装置１０は、これらの情報を入力されたことを契機として、分析対象の期間における分析対象の企業の各設備の各時刻の電力消費量を示す電力消費量情報ＤＤを通信網２０を介して取得する。ここで、各時刻の電力消費量とは、８時、９時、１０時などの一時間刻みの各時刻を起算点とする単位時間（すなわち、一時間）内に消費された電力量のことをいう。分析装置１０は、このようにして取得した電力消費量情報ＤＤを用いて、無駄な電力消費の有無を時刻毎および設備毎に分析し、その分析結果を出力する。
【００２１】
電力消費量情報ＤＤについては、上記企業への電力供給を行う電力事業者のデータベースから取得するようにすれば良い。また、企業情報Ｄ１としては、分析対象の企業を一意に示す識別子（当該企業の名称を表す文字列など）とその業態（或いは業種）を一意に示すために予め付与された業態コードを用いるようにすれば良い。また、設備情報Ｄ２についても、各設備を一意に示すために予め付与された設備コードを用いるようにすれば良い。上記識別子や業態コード、設備コードについては、上記電力事業者のデータベースにおいても同じものが用いられるように上記電力事業者と予め調整しておけば良い。
【００２２】
図２は、分析装置１０の構成例を示すブロック図である。
図２に示すように、分析装置１０は、制御部１１０、通信インターフェース（以下、「Ｉ／Ｆ」と略記する）部１２０、ユーザＩ／Ｆ部１３０、記憶部１４０、およびこれら構成要素間のデータ授受を仲介するバス１５０を含んでいる。制御部１１０は、例えばＣＰＵである。制御部１１０は、記憶部１４０（より正確には、不揮発性記憶部１４４）に記憶されている分析プログラム１４４ｂを実行することにより、分析装置１０の制御中枢として機能する。制御部１１０が分析プログラム１４４ｂにしたがって実行する処理の詳細については後に明らかにする。
【００２３】
通信Ｉ／Ｆ部１２０は、例えばＮＩＣ(Network Interface Card)であり、通信網２０に接続されている。通信Ｉ／Ｆ部１２０は、通信網２０から送信されてくるデータを受信し、制御部１１０に引き渡す一方、制御部１１０から引き渡されるデータを通信網２０へと送出する。通信Ｉ／Ｆ部１２０は、電力消費量情報ＤＤを通信網２０を介して取得する取得手段の役割を果たす。
【００２４】
ユーザＩ／Ｆ部１３０には、液晶ディスプレイなどの出力装置と、キーボードやマウスなどの入力装置とが含まれる。ユーザＩ／Ｆ部１３０に含まれる出力装置には、企業情報Ｄ１、設備情報Ｄ２および期間情報Ｄ３（以下、これら３種類の情報を「企業情報Ｄ１等」と総称する場合がある）の入力を促す入力画面や分析結果を提示するための出力画面が表示される。ユーザＩ／Ｆ部１３０に含まれる入力装置は、企業情報Ｄ１等をユーザ（すなわち、分析担当者）に入力させる（換言すれば、企業情報Ｄ１等を分析装置１０に取得させる）ためのものである。本実施形態では、分析結果を出力する出力装置として液晶ディスプレイ等の表示装置を用いたが、プリンタ装置などの印字装置を用いて勿論良い。また、本実施形態では、入力装置および出力装置の両方がユーザＩ／Ｆ部１３０に含まれていたが、これら入力装置および出力装置の何れか一方（或いは両方）を分析装置１０に接続される別個の装置としても勿論良い。
【００２５】
記憶部１４０は、図２に示すように、揮発性記憶部１４２と不揮発性記憶部１４４とを含んでいる。揮発性記憶部１４２は例えばＲＡＭ(Random Access Memory)である。揮発性記憶部１４２は、分析プログラム１４４ｂを実行する際のワークエリアとして制御部１１０によって利用される。不揮発性記憶部１４４は、例えばハードディスクである。不揮発性記憶部１４４には、基準値データベース１４４ａおよび分析プログラム１４４ｂが格納されている。
【００２６】
基準値データベース１４４ａには、企業の業種または業態を示す第１のキー情報と設備の種別を示す第２のキー情報とに対応付けて基準値情報が格納されている。基準値情報とは、当該基準値データに対応付けられている第１のキー情報の示す業種（或いは業態）の企業における同第２のキー情報の示す設備にて消費される電力の多寡を時刻毎に判別するための各時刻の閾値（以下、基準値）の配列である。本実施形態では、前述した業態コードが上記第１のキー情報として用いられているとともに、前述した設備コードが上記第２のキー情報として用いられている。また、本実施形態では、上記基準値として、第１のキー情報の示す業種または業態の企業において一日のうちに消費されると推定される全電力に対する、上記第２のキー情報の示す設備において一時間刻みの各時刻を起算点とする単位時間内に消費される電力の割合（すなわち、相対値）が用いられている。このような相対値を基準値として用いたのは、分析対象の企業の規模による影響を受けないようにするためである。
【００２７】
基準値情報を構成する各時刻の基準値については、電力消費量分析システム１により提供される電力消費量分析サービスの利用契約を結んでいる各企業を業種毎に分類し、さらに同一業種の企業における電力消費量を季節毎、設備毎、および時刻毎に統計分析して得られる統計値（平均値や最大値、最頻出値など）に基づいて定める（すなわち、全消費電力に対する当該統計値の割合に応じて定める）ようにすれば良い。
【００２８】
図３は、本実施形態における基準値データベース１４４ａの格納内容の一例を示す図である。図３に示すように本実施形態の基準値データベース１４４ａでは、企業の業種（図３に示す例では、飲食店およびオフィスビル）および設備（飲食店であれば、空調、照明、冷蔵およびこれらの合算である店舗全体、オフィスビルであれば、空調、照明、およびこれらの合算であるフロア全体）に加えて、さらに季節（冬、夏、および冬ではなく夏でもない中間期）に対応づけて基準値情報が格納されている。これは、空調設備や冷蔵設備の電力消費量は季節に応じて異なることが一般的であり、季節を問わずに一種類の基準値を用いて電力消費量の多寡を判別することは正確性に欠けるからである。季節については、例えば、６月１日から８月末日までを夏とし、１２月１日から２月末日までを冬とするといった具合に暦にしたがって定めれば良い。なお、季節に応じて消費量が変動しない（或いは変動量の少ない）資源を対象として消費量分析を行う場合には、季節毎に基準値情報を格納しておく必要はない。
【００２９】
分析プログラム１４４ｂは、図４に示す企業情報等取得処理ＳＡ１００、電力消費量情報取得処理ＳＡ１１０、基準値情報取得処理ＳＡ１２０および特定処理ＳＡ１３０を制御部１１０に実行させるプログラムである。本実施形態では、制御部１１０は、分析装置１０の電源（図示省略）投入を契機として分析プログラム１４４ｂを不揮発性記憶部１４４から揮発性記憶部１４２へ読み出し、その実行を開始する。分析プログラム１４４ｂにしたがって作動している制御部１１０は、まず、企業情報等取得処理ＳＡ１００を実行する。企業情報等取得処理ＳＡ１００では、制御部１１０は、企業情報Ｄ１等の入力を促す入力画面をユーザＩ／Ｆ部１３０の出力装置に出力させる。そして、制御部１１０は、企業情報Ｄ１、設備情報Ｄ２および期間情報Ｄ３の入力を契機として、電力消費量情報取得処理ＳＡ１１０以降の処理を実行する。
【００３０】
電力消費量情報取得処理ＳＡ１１０は、企業情報Ｄ１により識別される企業の期間情報Ｄ３の示す期間における設備情報Ｄ２の示す設備による電力消費量を示す電力消費量情報ＤＤを取得する処理である。ここで、分析対象として指定された企業（すなわち、企業情報Ｄ１の示す企業）が各々立地の異なる複数の事業所を有しており、事業所毎に電力消費量情報が送信されてくる場合には、それら電力消費量情報の示す各時刻の電力消費量を集計し、時刻毎の集計結果を事業所数で除算して得られる平均値の配列を電力消費量情報ＤＤとして用いるようにすれば良い。
【００３１】
基準値情報取得処理ＳＡ１２０では、制御部１１０は、企業情報Ｄ１の示す業種または業態、設備情報Ｄ２の示す設備（すなわち、分析対象として指定された設備）、および期間情報Ｄ３の示す期間の属する季節に対応する基準値情報を基準値データベース１４４ａから読み出す。より詳細に説明すると、制御部１１０は、企業情報Ｄ１の示す業種または業態と同一の業種または業態を示す第１のキー情報および設備情報Ｄ２の示す設備と同一の設備を示す第２のキー情報に対応付けられている基準値情報のうち、期間情報Ｄ３の示す期間の属する季節に対応する基準値情報を基準値データベース１４４ａから読み出す。例えば、期間情報の示す期間が８月１日から８月末日までの期間であれば、夏の基準値情報を読み出すといった具合である。期間情報Ｄ３の示す期間が複数の季節にまたがっている場合には、期間情報Ｄ３の示す期間を季節毎に分割し、分割して得られた期間毎に基準値情報取得処理ＳＡ１２０以降の処理を制御部１１０に実行させるようにすれば良い。なお、本実施形態では、企業情報等取得処理ＳＡ１００の実行後、電力消費量情報取得処理ＳＡ１１０を実行し、さらにその後、基準値情報取得処理ＳＡ１２０を実行したが、電力消費量情報取得処理ＳＡ１１０と基準値情報取得処理ＳＡ１２０の実行順序を入れ替えても良く、また、両者を並列に実行しても良い。
【００３２】
特定処理ＳＡ１３０では、制御部１１０は、基準値情報取得処理ＳＡ１２０にて取得した基準値情報の示す各時刻の基準値と電力消費量情報ＤＤの示す各時刻における電力消費量とを時刻毎に比較し、後者が前者を上回っている時刻を特定する。ここで、各時刻の基準値と電力消費量情報ＤＤの示す各時刻における電力消費量との比較については、後者を相対値（分析対象の企業において一日のうちに消費されると全電力に対する、分析対象の設備において各時刻を起算点とする単位時間内に消費される電力の割合）に変換して行っても良く、逆に前者を絶対値（分析対象の企業において一日のうちに消費されると全電力に当該基準値の示す割合を乗算して得られる値）に変換して行っても良い。そして、制御部１１０は、該当する時刻、およびその時刻における基準値と電力消費量との差を示す情報をユーザＩ／Ｆ部１３０（より正確には、ユーザＩ／Ｆ部１３０に含まれる出力装置）に出力させる。
【００３３】
前述したように基準値情報の示す各基準値は、その基準値情報に対応する業種または業態の企業における同基準値情報に対応する設備についての分析対象の期間の属する季節における時刻毎の一般的の電力消費量を示す。したがって、実際の電力消費量が当該基準値を上回っているならば、その基準値に対応する設備および時刻において電力が無駄に消費されている可能性が高い。このため、分析担当者は、電力消費量分析の分析結果としてユーザＩ／Ｆ部１３０に表示される情報（電力消費量が基準値を上回っている時刻、および基準値と電力消費量との差を示す情報）に基づいて、分析対象業種における分析対象設備の一般的な電力消費量と比べてどの時刻においてどの程度電力が無駄に消費されているのかを把握することができる。
【００３４】
図５は、分析対象の企業の業態がオフィスビルであり、分析対象の設備がフロア全体である場合の分析装置１０による分析結果の出力例を示す図である。図５における折れ線グラフは基準値情報取得処理ＳＡ１２０により取得された各基準値を表しており、同棒グラフは電力消費量情報ＤＤの表す時刻毎の照明設備の電力消費量を表している。図５に示す例では、１２時〜１３時の消費電力が基準値を超過しており、１９時以降の消費電力も基準値を超過している。このため、本動作例では、１２時〜１３時の時刻および１９時以降の時刻を表す情報が表示装置に表示される。例えば、１２時〜１３時の時刻および１９時以降の時刻の各消費電力を表す棒グラフを他の時刻におけるものとは表示色を異ならせて図５をそのまま表示装置に表示させるといった具合である。一般に１２時〜１３時の時刻は昼休みの時刻であり、１９時以降は終業時刻以後であるから、昼休みの節電が行われておらず、また、残業時間に電力が無駄に消費されていることが判る。このため、分析担当者は、上記企業に分析報告書を提出する際には、図５に示すグラフとともに「昼休みおよび残業時間における節電が不十分です」などの所見を記載した分析報告書を提出することができる。
【００３５】
このように、本実施形態によれば、分析対象の企業およびその業態を示す企業情報Ｄ１、分析対象の設備を示す設備情報Ｄ２、および分析対象の期間を示す期間情報Ｄ３を分析装置１０に与えるだけで、基準値を上回って無駄に電力が消費された時刻が特定される。上記基準値は分析対象の企業の業種または業態毎、設備毎および季節毎に同業他社の消費動向等に基づいて統計的に定められたものであるから、分析担当者が専門的な知識や充分な経験を有していなくても、分析対象の企業の業種や業態、設備、季節に即した精度の高い電力消費量分析が実現される。
【００３６】
以上、本発明の一実施形態について説明したが、この実施形態に以下の変形を加えても勿論良い。
（１）上記実施形態では、分析担当者に分析対象の設備を指定させたが、設備の指定は必須ではなく省略しても良い。設備を指定しない態様においては、企業情報Ｄ１の示す企業における各設備についての電力消費量情報を取得し、設備毎に該当する基準値情報を読み出して資源消費量の多寡を時刻毎に判別する処理を制御部１１０に実行させるようにすれば良い。また、分析対象期間を、企業情報Ｄ１や設備情報Ｄ２の入力時点から所定の期間とする場合には、期間情報Ｄ３を分析担当者に入力させる必要もない。
【００３７】
（２）外気温について特定の条件を定めておき、当該条件下での電力消費量が全電力消費量に対して占める割合の上限を設備毎に予め定めておき、当該上限を超えて電力が消費されたか否かを分析担当者が即座に把握できるようにしても良い。また、企業の営業時間外での電力消費量が全電力消費量に対して占める割合の上限を設備毎に予め定めておき、当該上限を超えて電力が消費されたか否かを分析担当者が即座に把握できるようにしても良い。
【００３８】
例えば、外気温についての特定の条件を示す条件データに対応付けて、当該条件下での資源消費量が全資源消費量に対して占める割合の上限を定める外気温条件閾値を企業の業種または業態毎および設備毎に基準値データベースに格納しておく（図６参照）。そして、制御部１１０には、特定処理ＳＡ１３０において、条件データの示す条件下での資源消費量、全資源消費量および前者の後者に対する割合を資源消費量情報に基づいて算出し、当該割合が外気温条件閾値を上回っている場合には、資源の無駄使いを警告するメッセージを出力装置に出力させるのである。外気温についての特定の条件の一例としては、一般に空調を用いる必要がないとされる温度範囲（例えば１５℃〜２５℃の範囲）が挙げられる。このような温度範囲での空調の使用は無駄な電力消費に他ならないが、無駄を完全に排除することは難しく、或る程度は許容せざるを得ない場合もある。上記外気温条件閾値は、このような許容範囲の上限を意味するのである。例えば上記外気温条件閾値を０と設定すれば、一般に空調を用いる必要がないとされる温度範囲の空調の使用を全く許容しないことを前提として電力消費量分析を行うことになる。このような態様によれば、外気温についての特定条件として空調を用いる必要がないとされる温度範囲を採用すれば、空調設備についての全消費電力に占める当該条件下での消費電力（図７（ｂ）における無駄な電力）が許容範囲を超えていることを即座に分析担当者に把握させることができる。
【００３９】
また、企業の営業時間（例えば、８：００〜１８：００）外における資源消費量が全資源消費量に対して占める割合の上限を定める営業時間外閾値を企業の業種または業態毎および設備毎に基準値データベースに格納しておき（図６参照）、制御部１１０には、特定処理ＳＡ１３０において、分析対象の企業の営業時間外の資源消費量、全資源消費量および前者の後者に対する割合を資源消費量情報に基づいて算出し、当該割合が前記営業時間外閾値を上回っている場合には、資源の無駄使いを警告するメッセージを前記出力装置に出力させるようにしても良い。このような態様によれば、全消費電力に占める営業時間外の消費電力（図７（ａ）における無駄な電力）が許容範囲を超えていることを即座に分析担当者に把握させることができる。ここで、各企業の営業時間を示す情報については、企業情報Ｄ１に含めておけば良い。なお、図６に示す例では、飲食店について空調の営業時間外閾値が５％（或いは１０％）に設定されていることに対し、冷蔵設備の営業時間外閾値は３０％と高めに設定されている。これは、飲食店の冷蔵設備は、食材の保存のために営業時間外でもある程度の電力消費は必須であると考えられるからである。
【００４０】
（３）上記実施形態では、企業における電力消費量分析への本発明の適用例を説明したが、本発明の適用対象は電力消費量分析に限定されるものではない。例えば、ガスや石油などの化石燃料の消費量分析に適用しても良く、飲料水や工業用水などの水の消費量分析に適用しても良い。
【００４１】
（４）上記実施形態では、分析装置１０の不揮発性記憶部１４４に基準値データベース１４４ａが予め記憶されていた。しかし、基準値データベース１４４ａを通信網２０に接続された他の装置に記憶させておき、分析装置１０の制御部１１０には、当該他の装置に記憶されている基準値データベース１４４ａを通信網２０を介して参照する処理を実行させるようにしても良い。
【００４２】
（５）基準値情報を分析担当者などのユーザの指示に応じて更新し、保存する更新手段を分析装置１０に設け、分析対象の企業に合わせて基準値情報をカスタマイズできるようにしても良い。このような更新手段の具体例としてはＣＵＩベースのものと、ＧＵＩベースのものとが考えられる。ＣＵＩベースの更新手段の一例としては、各時刻の基準値を表す数値を表示させるとともに、新たな基準値を表す数値をキーボードなどにより入力させるものが挙げられる。ＧＵＩベースの更新手段の具体例としては、基準値情報の表す各基準値を一方の座標軸を時間軸とする二次元座標にプロットして得られるグラフ（例えば、図３参照）を表示装置に表示させるとともに、マウス等のドラッグアンドドロップにより当該グラフを変形させ、変形後のグラフの示す各時刻の基準値を新たな基準値として基準値データベース１４４ａに格納するものが挙げられる。ここで、グラフの変形の具体例としては、時間軸方向の平行移動や、時間軸とグラフ曲線との間の面積（すなわち、総消費電力）を一定に保ちつつピークの高さを変えること（ピークの高さを変えた分だけ、他の基準値をその基準値の大きさおよびピークの変動量に応じた割合で変動させること）が挙げられる。前者の態様によれば、サマータイムの導入などによる営業時間の変更に簡便に対処することが可能になり、後者の態様によればイベント開催などに伴う一時的な需要増加に簡便に対処することが可能になる。
【００４３】
このような更新手段を設けることで基準値データベースの格納内容をきめ細やかにカスタマイズし、精度の高い資源消費量分析を行うことが可能になる。特に、ＧＵＩベースの更新手段であれば、基準値データベース１４４ａの格納内容を直観的で判り易い操作によりユーザに更新させることが可能になる。また、グラフの変形の際に、並行移動のみを許容する、或いは時間軸とグラフ曲線との間の面積を一定に保つなどの制約を設けて置くことで無秩序な更新を排除しつつ、直観的で判り易い操作で基準値データベース１４４ａの格納内容を更新することが可能になる。なお、飲食店において空調の電力消費を引き下げると冷蔵効率が低下し、冷蔵の電力消費量が増加するなど、業種によっては各設備の消費電力に一定の相関が認められる場合がある。このような場合には、互いに相関を有する設備のうちの一方についての基準値情報の更新を契機として、当該相関が反映されるように他方の基準値情報を更新しても良い。
【００４４】
さらに、基準値情報（或いは当該基準値情報を格納した基準値データベース１４４ａ）を電子データとして出力し、他の分析装置で再利用できるようにしても勿論良い。このような態様によれば、基準値情報を作成済の企業と類似の業態または業種の他の企業の電力消費量分析を行う際に、基準値情報（或いは基準値データベース１４４ａ）を作成する手間を軽減することが可能になる。また、このように電子データとして提供される基準値情報を上記の要領でカスタマイズすることで、カスタマイズ元となった基準値情報の業種（或いは業態）とは異なる業種（或いは業態）向けの基準値情報を手軽に作成することも可能になる。
【００４５】
（６）上記実施形態では、本発明の特徴を顕著に示す基準値情報取得処理ＳＡ１２０および特定処理ＳＡ１３０を分析装置１０の制御部１１０に実行させる分析プログラム１４４ｂ（すなわち、ＣＰＵなどのコンピュータを、基準値情報取得処理ＳＡ１２０を実行する基準値情報取得手段、および特定処理ＳＡ１３０を実行する特定手段として機能させるプログラム）が同分析装置１０の不揮発性記憶部１４４に予め格納されていた。しかし、ＣＤ−ＲＯＭなどのコンピュータ読み取り可能な記録媒体に分析プログラム１４４ｂを書き込んで配布しても良く、また、インターネットなどの電気通信回線経由のダウンロードにより配布しても良い。このようにして配布される分析プログラム１４４ｂにしたがって一般的なコンピュータを作動させることで、当該コンピュータを本発明の分析装置として機能させることが可能になるからである。また、基準値情報取得処理ＳＡ１２０を実行する基準値情報取得手段、および特定処理ＳＡ１３０を実行する特定手段を電子回路で構成し、企業情報Ｄ１等および資源消費量情報を取得する取得手段と組み合わせて上記実施形態の分析装置を構成しても良い。
【符号の説明】
【００４６】
１…電力消費量分析システム、１０…分析装置、２０…通信網、１１０…制御部、１２０…通信Ｉ／Ｆ部、１３０…ユーザＩ／Ｆ部、１４０…記憶部、１４２…揮発性記憶部、１４４…不揮発性記憶部、１４４ａ…基準値データベース、１４４ｂ…分析プログラム、１５０…バス。
【図１】
2015075823.tif 000003
【図２】
2015075823.tif 000004
【図３】
2015075823.tif 000005
【図４】
2015075823.tif 000006
【図５】
2015075823.tif 000007
【図６】
2015075823.tif 000008
【図７】
2015075823.tif 000009